(57)【要約】【課題】画像データのサイズを小さくできる画像読取装置、画像読取方法を提供する。【解決手段】読取対象物Ｒを搬送方向Ｙの上流側から下流側に搬送する搬送部２１と、搬送部２１により搬送される読取対象物Ｒの画像を読み取る読取部２４と、読取部２４を制御する制御部４０とを備え、読取対象物Ｒは、原稿Ｄを挟むことが可能な２枚の透明なシート部と、シート部同士を接合する接合部と、を有するキャリアシートＣを含み、制御部４０は、キャリアシートＣが接合部を搬送方向Ｙの下流側に位置させた状態で搬送される場合に、接合部の上流端が読取部２４を通過してから読取部２４に読み取りを開始させる。【選択図】図１
2018006853.tif 000002
【特許請求の範囲】
【請求項１】
読取対象物を搬送方向の上流側から下流側に搬送する搬送部と、
該搬送部により搬送される前記読取対象物の画像を読み取る読取部と、
該読取部を制御する制御部と
を備え、
前記読取対象物は、原稿を挟むことが可能な２枚の透明なシート部と、該シート部同士を接合する接合部と、を有するキャリアシートを含み、
前記制御部は、前記キャリアシートが前記接合部を前記搬送方向の下流側に位置させた状態で搬送される場合に、前記接合部の上流端が前記読取部を通過してから該読取部に読み取りを開始させることを特徴とする画像読取装置。
【請求項２】
前記原稿用のガンマ値と、前記キャリアシート用のガンマ値とを記憶する記憶部をさらに備え、
前記制御部は、前記読取対象物が前記原稿である場合には、前記原稿用のガンマ値に基づいて前記読取部に画像を読み取らせ、前記読取対象物が前記キャリアシートである場合には、前記キャリアシート用のガンマ値に基づいて前記読取部に画像を読み取らせることを特徴とする請求項１に記載の画像読取装置。
【請求項３】
前記読取部は、
前記読取対象物の第１面の画像を読み取る第１読取部と、
前記読取対象物の第２面の画像を読み取る第２読取部と、
を有し、
前記第１読取部が読み取った第１画像及び前記第２読取部が読み取った第２画像を合成して見開き画像を生成する合成処理を実行するか否かを選択する選択部をさらに備え、
前記制御部は、前記読取対象物が前記キャリアシートである場合には、前記選択部の選択に応じて前記合成処理を実行し、前記読取対象物が前記原稿である場合には、前記選択部の選択に関わらず前記合成処理を実行しないことを特徴とする請求項１又は請求項２に記載の画像読取装置。
【請求項４】
前記制御部は、前記キャリアシートに設けられた被検出部の個数と寸法に基づいて前記キャリアシートを検出することを特徴とする請求項１〜請求項３のうち何れか一項に記載の画像読取装置。
【請求項５】
光を放つ発光部と、
該発光部から放たれた前記光を受光する受光部と
をさらに備え、
前記被検出部は、前記光を透過する複数の透光部であり、
前記制御部は、前記透光部を透過した前記光を前記受光部が受光することにより前記透光部を検出し、前記複数の透光部の前記搬送方向における上流端同士の寸法及び下流端同士の寸法の少なくとも一方の寸法に基づいて前記キャリアシートを検出することを特徴とする請求項４に記載の画像読取装置。
【請求項６】
読取対象物を搬送方向の上流側から下流側に搬送する搬送部と、該搬送部により搬送される前記読取対象物の画像を読み取る読取部とを備える画像読取装置における画像読取方法であって、
前記読取対象物は、原稿を挟むことが可能な２枚の透明なシート部と、該シート部同士を接合する接合部と、を有するキャリアシートを含み、
前記接合部を前記搬送方向の下流側に位置させた状態で前記キャリアシートを搬送する搬送ステップと、
前記接合部の上流端が前記読取部を通過してから該読取部に読み取りを開始させる読取開始ステップと、
を含むことを特徴とする画像読取方法。
【発明の詳細な説明】
【技術分野】
【０００１】
本発明は、原稿の画像を読み取るスキャナーなどの画像読取装置、画像読取方法に関する。
【背景技術】
【０００２】
従来から、原稿を搬送するフィードローラ（搬送部）と、搬送される原稿の画像を読み取るラインセンサ（読取部）とを備えた画像読取装置が知られている（例えば特許文献１）。
【０００３】
このような画像読取装置では、読取可能な原稿の大きさが決められている。そのため、規格外の大きさの原稿は、無色透明なキャリアシートに二つ折りの状態で挟まれ、キャリアシートごと搬送されて画像が読み取られていた。
【先行技術文献】
【特許文献】
【０００４】
【特許文献１】特開２００５−２６０３８７号公報
【発明の概要】
【発明が解決しようとする課題】
【０００５】
ところで、キャリアシートは、原稿を挟むことが可能な２枚の透明なシート（シート部）と、該シート同士を接合する接合部とを有し、搬送時に搬送方向の下流側に位置させられる接合部には合成指示マークが記されている。すなわち、画像読取装置は、読み取った画像に合成指示マークが含まれるか否かによりキャリアシートを判別していた。そのため、読み取った画像データには合成指示マークが含まれ、画像データのサイズが大きくなってしまっていた。
【０００６】
本発明は、こうした実情に鑑みてなされたものであり、その目的は、画像データのサイズを小さくできる画像読取装置、画像読取方法を提供することにある。
【課題を解決するための手段】
【０００７】
以下、上記課題を解決するための手段及びその作用効果について記載する。
上記課題を解決する画像読取装置は、読取対象物を搬送方向の上流側から下流側に搬送する搬送部と、該搬送部により搬送される前記読取対象物の画像を読み取る読取部と、該読取部を制御する制御部とを備え、前記読取対象物は、原稿を挟むことが可能な２枚の透明なシート部と、該シート部同士を接合する接合部と、を有するキャリアシートを含み、前記制御部は、前記キャリアシートが前記接合部を前記搬送方向の下流側に位置させた状態で搬送される場合に、前記接合部の上流端が前記読取部を通過してから該読取部に読み取りを開始させる。
【０００８】
読取対象物である原稿の画像をキャリアシートを用いずに読み取る場合には、読取部は、搬送される原稿の下流端が読取部を通過する前に読み取りを開始する。そして、この構成によれば、読取対象物がキャリアシートの場合には、制御部は、読取部に読取を開始させるタイミングをキャリアシートの下流端から接合部の分だけ遅らせ、接合部の上流端が読取部を通過してから読み取りを開始させる。したがって、読取部は、接合部の画像を読み取らないため、画像データのサイズを小さくできる。
【０００９】
上記画像読取装置は、前記原稿用のガンマ値と、前記キャリアシート用のガンマ値とを記憶する記憶部をさらに備え、前記制御部は、前記読取対象物が前記原稿である場合には、前記原稿用のガンマ値に基づいて前記読取部に画像を読み取らせ、前記読取対象物が前記キャリアシートである場合には、前記キャリアシート用のガンマ値に基づいて前記読取部に画像を読み取らせることが好ましい。
【００１０】
この構成によれば、制御部は、読取対象物が原稿であるかキャリアシートであるかに応じて、読み取り時のガンマ値を変更する。そのため、読取対象物に適したガンマ値で画像を読み取らせることができる。
【００１１】
上記画像読取装置において、前記読取部は、前記読取対象物の第１面の画像を読み取る第１読取部と、前記読取対象物の第２面の画像を読み取る第２読取部と、を有し、前記第１読取部が読み取った第１画像及び前記第２読取部が読み取った第２画像を合成して見開き画像を生成する合成処理を実行するか否かを選択する選択部をさらに備え、前記制御部は、前記読取対象物が前記キャリアシートである場合には、前記選択部の選択に応じて前記合成処理を実行し、前記読取対象物が前記原稿である場合には、前記選択部の選択に関わらず前記合成処理を実行しないことが好ましい。
【００１２】
読取可能なサイズよりも大きな原稿は、折り畳まれた状態でキャリアシートに挟まれて搬送され、シート部越しに画像が読み取られる。そして、この構成によれば、読取対象物がキャリアシートの場合には合成処理を実行し、読取対象物が原稿の場合には合成処理を実行しない。したがって、読取対象である原稿に近い画像を取得できる。
【００１３】
上記画像読取装置において、前記制御部は、前記キャリアシートに設けられた被検出部の個数と寸法に基づいて前記キャリアシートを検出することが好ましい。
この構成によれば、制御部は、被検出部の個数と寸法に基づいてキャリアシートを検出するため、被検出部の個数と寸法の何れか一方に基づいてキャリアシートを検出する場合に比べてキャリアシートの検出精度を向上できる。
【００１４】
上記画像読取装置は、光を放つ発光部と、該発光部から放たれた前記光を受光する受光部とをさらに備え、前記被検出部は、前記光を透過する複数の透光部であり、前記制御部は、前記透光部を透過した前記光を前記受光部が受光することにより前記透光部を検出し、前記複数の透光部の前記搬送方向における上流端同士の寸法及び下流端同士の寸法の少なくとも一方の寸法に基づいて前記キャリアシートを検出することが好ましい。
【００１５】
搬送方向における透光部の上流端と下流端が受光部を通過するタイミングでは、受光部が受光する受光量がなだらかに変化する。そのため、透光部の上流端と下流端は、位置の特定が難しく、上流端から下流端までの寸法を計測する場合には、誤差が大きくなってしまう。その点、この構成によれば、複数の透光部の上流端同士の寸法及び下流端同士の寸法の少なくとも一方の寸法に基づいてキャリアシートを検出する。すなわち、上流端同士又は下流端同士では、受光量が同じように変化するため、例えば同程度の受光量を検出した位置同士の寸法を計測することにより誤差の小さな寸法を取得できる。したがって、キャリアシートの検出精度を向上できる。
【００１６】
上記画像読取方法は、読取対象物を搬送方向の上流側から下流側に搬送する搬送部と、該搬送部により搬送される前記読取対象物の画像を読み取る読取部とを備える画像読取装置における画像読取方法であって、前記読取対象物は、原稿を挟むことが可能な２枚の透明なシート部と、該シート部同士を接合する接合部と、を有するキャリアシートを含み、前記接合部を前記搬送方向の下流側に位置させた状態で前記キャリアシートを搬送する搬送ステップと、前記接合部の上流端が前記読取部を通過してから該読取部に読み取りを開始させる読取開始ステップと、を含む。
【００１７】
この構成によれば、上記画像読取装置と同様の効果を奏し得る。
【図面の簡単な説明】
【００１８】
【図１】画像読取装置の一実施形態の模式図。
【図２】シート部に原稿を挟んだキャリアシートの模式図。
【図３】図２における３−３線矢視断面図。
【図４】制御部のブロック図。
【図５】キャリアシートの模式断面図と受光部の受光量を示すグラフ。
【図６】画像読取処理ルーチンのフローチャート。
【図７】画像合成処理ルーチンのフローチャート。
【発明を実施するための形態】
【００１９】
以下、画像読取装置の一実施形態について、図を参照して説明する。なお、本実施形態の画像読取装置は、例えば搬送される原稿の画像を、固定された読取部が読み取るシートフィードスキャナーである。
【００２０】
図１に示すように、画像読取装置１１は、側面視が略台形箱状の本体部１２と、本体部１２に設けられた軸１３を中心として回動可能な回動部１４とを備えている。すなわち、回動部１４は、図１に実線で示す閉位置と、図１に二点鎖線で示す開位置との間で回動する。
【００２１】
また、画像読取装置１１は、複数の読取対象物Ｒを積層した状態で載置可能な載置部１６と、載置部１６から図１に一点鎖線で示す搬送路１７に向かって読取対象物Ｒを給送する給送部１８とを備えている。この給送部１８は、読取対象物Ｒを給送する給送ローラー１９と、給送ローラー１９により給送される読取対象物Ｒとの間に摩擦力を生じさせる摩擦力付与部２０とを有している。なお、本実施形態の摩擦力付与部２０は、読取対象物Ｒに接触した状態で回転して読取対象物Ｒ同士を分離させる分離ローラーである。
【００２２】
さらに、給送部１８よりも搬送方向Ｙの下流側の位置には、給送部１８により給送された読取対象物Ｒを搬送方向Ｙの上流側から下流側に搬送する搬送部２１が設けられている。搬送部２１は、読取対象物Ｒを搬送する搬送ローラー２２と、搬送ローラー２２の回転に伴って従動回転する搬送従動ローラー２３とを有している。なお、搬送ローラー２２と搬送従動ローラー２３は、搬送路１７を挟むように設けられている。
【００２３】
そして、搬送部２１よりも搬送方向Ｙの下流側の位置には、搬送部２１により搬送される読取対象物Ｒの画像を読み取る読取部２４が搬送路１７の両側に主走査方向（幅方向Ｘ）に延びるように設けられている。読取部２４は、読取対象物Ｒの第１面（例えば表面）の画像を読み取る第１読取部２４ａと、読取対象物Ｒの第２面（例えば裏面）の画像を読み取る第２読取部２４ｂとを有している。
【００２４】
すなわち、第１読取部２４ａは、本体部１２に設けられたラインセンサーであり、幅方向Ｘに沿って線状に延びる第１読取位置Ｐ１の線状の画像を連続して読み取る。また、第２読取部２４ｂは、回動部１４に設けられたラインセンサであり、幅方向Ｘに沿って線状に延びる第２読取位置Ｐ２の線状の画像を連続して読み取る。そして、読取対象物Ｒが通過するときに読み取られた線状の画像データは、それぞれ結合されて読取対象物Ｒの第１面の第１画像と第２面の第２画像とされる。なお、第１読取部２４ａと第２読取部２４ｂは、第１読取位置Ｐ１と第２読取位置Ｐ２が搬送方向Ｙにおいて位置が異なるように設けられている。
【００２５】
そして、読取部２４よりも搬送方向Ｙの下流側には、本体部１２から読取対象物Ｒを排出させる排出ローラー２５と、排出ローラー２５の回転に伴って従動回転する排出従動ローラー２６と、読取対象物Ｒが排出される排出部２７とが設けられている。
【００２６】
さらに、画像読取装置１１は、給送ローラー１９を回転させるための駆動源である給送モーター２８と、搬送ローラー２２を回転させるための駆動源である搬送モーター２９とを備えている。なお、搬送モーター２９は、摩擦力付与部２０と排出ローラー２５にも接続されており、摩擦力付与部２０及び排出ローラー２５も回転させる。
【００２７】
また、給送ローラー１９、搬送ローラー２２、排出ローラー２５は、給送モーター２８及び搬送モーター２９の駆動に伴って読取対象物Ｒを搬送方向Ｙの上流側から下流側に搬送するように正転回転する。そして、摩擦力付与部２０は、搬送モーター２９の駆動に伴って読取対象物Ｒに搬送方向Ｙとは反対の方向に摩擦力を与えるように逆転回転する。
【００２８】
そして、画像読取装置１１は、載置部１６に載置された読取対象物Ｒを検出可能な載置検出部３１と、給送された読取対象物Ｒを検出可能な給送検出部３２とを備えている。さらに画像読取装置１１は、搬送される読取対象物Ｒを検出可能な搬送検出部３３と、搬送ローラー２２の回転を検出する回転検出部３４とを備えている。なお、搬送検出部３３は、搬送方向Ｙにおいて搬送ローラー２２と略同じ位置に設けられている。
【００２９】
載置検出部３１と搬送検出部３３は、例えばレバーを有する接触式のセンサーであり、読取対象物Ｒによってレバーが押されることで読取対象物Ｒの有無を検出する。また、給送検出部３２は、光を放つ発光部３６と、発光部３６から放たれた光を受光する受光部３７とを有する光学式センサーである。そして、発光部３６と受光部３７は、搬送路１７を挟んで対向する位置に配置されている。すなわち、発光部３６は、搬送路１７上の検出位置Ｐ３に向けて光を照射し、受光部３７は検出位置Ｐ３を通った光を受光する。
【００３０】
回転検出部３４は、例えばロータリーエンコーダーであり、搬送ローラー２２と共に回転するエンコーダースケール３８の目盛りを検出する。さらに、画像読取装置１１は、読取部２４などの画像読取装置１１における各機構の駆動を統括的に制御する制御部４０を備えている。
【００３１】
次に読取対象物Ｒについて説明する。
図２に示すように、読取対象物Ｒは、原稿Ｄを挟むことが可能な２枚の透明なシート部４２と、シート部４２同士を接合する接合部４３と、を有するキャリアシートＣを含む。また、原稿Ｄは、単体でも読取対象物Ｒになり、はがき、名刺、運転免許証、保険証などのカード、原稿用紙やコピー用紙などの用紙、パスポートやパンフレットのような冊子、封筒や紙袋などの袋物などを含む。すなわち、読取対象物Ｒは、原稿Ｄと、原稿Ｄを挟んだキャリアシートＣと、を含む。
【００３２】
ところで、載置部１６に載置された読取対象物Ｒは、給送部１８により１枚ずつ分離されて給送される。そのため、例えば冊子や折り畳まれた用紙などの原稿Ｄは、摩擦力付与部２０に摩擦力が付与されることにより、重なった部分がずれ、搬送不良を起こしたり、所望の画像が得られなかったりすることがある。そこで、このように単体での読み取りが困難な原稿Ｄは、キャリアシートＣに挟んでキャリアシートＣごと搬送することにより、シート部４２越しに画像の読み取りが可能になる。また、薄紙や写真などの原稿Ｄを読み取る場合にも、キャリアシートＣを用いることにより原稿Ｄが傷つく虞を低減できる。
【００３３】
図２，図３に示すように、キャリアシートＣは、無色透明の合成樹脂からなる２枚の四角形状のシート４４が不透明な接合材４５を介して接合されている。そして、接合された帯状の部分が接合部４３とされると共に、接合部４３から延出する部分がシート部４２とされている。
【００３４】
接合部４３には、被検出部の一例であり、光を透過する複数（本実施形態では２つ）の第１透光部４７と第２透光部４８とが設けられている。第１透光部４７と第２透光部４８は、接合部４３を搬送方向Ｙの下流側に位置させた状態でキャリアシートＣが給送されたときに、給送検出部３２の検出位置Ｐ３を通る位置に形成されている。
【００３５】
すなわち、キャリアシートＣは、接合部４３を搬送方向Ｙの下流側に位置させた状態で搬送される。そして、第１透光部４７の搬送方向Ｙにおける両端は、キャリアシートＣが搬送される際に、キャリアシートＣの下流端となる先端Ｃａから離れた側の第１上流端４７ａ、及び第１上流端４７ａよりも先端Ｃａ側の第１下流端４７ｂとされている。さらに、第２透光部４８の搬送方向Ｙにおける両端は、第２上流端４８ａ及び第２下流端４８ｂとされている。
【００３６】
次に画像読取装置１１の電気的構成について説明する。
図４に示すように、制御部４０は、原稿Ｄ用のガンマ値と、キャリアシートＣ用のガンマ値とを記憶する記憶部５０を備えている。さらに、制御部４０は、第１読取部２４ａが読み取った第１画像及び第２読取部２４ｂが読み取った第２画像を合成して見開き画像を生成する合成処理部５１と、合成処理を実行するか否かを選択する選択部５２とを備えている。なお、選択部５２は、例えばホスト装置からジョブと共に入力された読取条件に基づいて合成処理を実行するか否かを選択する。
【００３７】
そして、制御部４０は、載置検出部３１、給送検出部３２、搬送検出部３３、回転検出部３４の検出結果に基づいて読取部２４、給送モーター２８、搬送モーター２９の駆動を制御する。
【００３８】
次に、給送検出部３２の検出結果に基づいて読取対象物ＲがキャリアシートＣであるか原稿Ｄであるかを判別する判別方法について説明する。
図５に示すように、給送検出部３２は、受光部３７が受光した受光量に応じて読取対象物Ｒの有無を検出し、オンもしくはオフを出力する。具体的には、給送検出部３２は、受光量が閾値Ｔよりも多い場合にはオンを出力し、読取対象物Ｒにより光が遮られて受光量が閾値Ｔよりも少ない場合はオフを出力する。
【００３９】
そして、制御部４０は、キャリアシートＣに設けられた透光部（第１透光部４７及び第２透光部４８）の個数と寸法に基づいてキャリアシートＣを検出する。すなわち、給送検出部３２は、キャリアシートＣが給送される前はオンを出力し、キャリアシートＣの先端Ｃａが検出位置Ｐ３を通過するタイミングでオフに切り替わる。そして、給送検出部３２の出力は、第１透光部４７の第１下流端４７ｂが検出位置Ｐ３を通過するタイミングでオンに変わり、さらに第１上流端４７ａが検出位置Ｐ３を通過するタイミングでオフに変わる。また、第２透光部４８が検出位置Ｐ３を通過する場合も、第１透光部４７が検出位置Ｐ３を通過する場合と同様にオンとオフとが切り替わる。
【００４０】
さて、本実施形態のキャリアシートＣには、第１透光部４７と第２透光部４８の２つの透光部が形成されている。そのため、給送検出部３２は、接合部４３が検出位置Ｐ３を通過するまでの間にオンを２回出力する。ところで、給送検出部３２の出力が切り替わるタイミングは、閾値Ｔに応じて変化する。そのため、実際にキャリアシートＣが検出位置Ｐ３を通過するタイミングと、給送検出部３２がキャリアシートＣの通過を検出するタイミングは、ずれることがある。
【００４１】
そこで、制御部４０は、給送検出部３２の検出結果に基づいて、第１上流端４７ａから第２上流端４８ａまでの寸法である検出上流端寸法Ｌ１を取得する。すなわち、制御部４０は、第１上流端４７ａが検出位置Ｐ３を通過する際に受光量が閾値Ｔを下回った位置から、第２上流端４８ａが検出位置Ｐ３を通過する際に受光量が閾値Ｔを下回った位置までを検出上流端寸法Ｌ１として取得する。
【００４２】
さらに、制御部４０は、給送検出部３２の検出結果に基づいて、第１下流端４７ｂから第２下流端４８ｂまでの寸法である検出下流端寸法Ｌ２を取得する。すなわち、制御部４０は、第１下流端４７ｂが検出位置Ｐ３を通過する際に受光量が閾値Ｔを上回った位置から、第２下流端４８ｂが検出位置Ｐ３を通過する際に受光量が閾値Ｔを上回った位置までを検出下流端寸法Ｌ２として取得する。
【００４３】
そして、制御部４０は、記憶部５０に記憶されている設定上流端寸法と検出上流端寸法Ｌ１、さらに記憶部５０に記憶されている設定下流端寸法と検出下流端寸法Ｌ２の双方の寸法が一致する場合には、読取対象物ＲがキャリアシートＣであると判断する。換言すると、制御部４０は、第１透光部４７及び第２透光部４８を透過した光を受光部３７が受光することにより第１透光部４７と第２透光部４８を検出する。さらに、複数の透光部の搬送方向Ｙにおける上流端同士（第１上流端４７ａ及び第２上流端４８ａ）の寸法及び下流端同士（第１下流端４７ｂ及び第２下流端４８ｂ）の寸法の基づいてキャリアシートＣを検出する。
【００４４】
なお、設定上流端寸法と設定下流端寸法は、キャリアシートＣの透光部（第１透光部４７、第２透光部４８）の位置と大きさに応じて設定されている寸法であり、誤差を含んだ幅のある値（例えば±０．２ｍｍ）に設定されている。
【００４５】
また、検出上流端寸法Ｌ１と設定上流端寸法、及び検出下流端寸法Ｌ２と設定下流端寸法の少なくとも一方の寸法が一致しない場合は、制御部４０は、読取対象物Ｒが原稿Ｄであると判断する。さらに、給送検出部３２が読取対象物Ｒの先端を検出してから搬送検出部３３が読取対象物Ｒの先端を検出するまでの間に、給送検出部３２がオンを出力しない場合や、出力されたオン信号が１回もしくは３回以上である場合も、制御部４０は、読取対象物Ｒが原稿Ｄであると判断する。
【００４６】
次に、図６に示すフローチャートを参照し、画像読取装置１１における画像読取方法を画像読取処理ルーチンに基づいて説明する。なお、この画像読取処理ルーチンは、読取対象物Ｒが載置部１６に載置され、画像を読み取るジョブが入力されたタイミングで実行される。なお、読取対象物ＲがキャリアシートＣである場合には、キャリアシートＣは、接合部４３を搬送方向Ｙの下流側に位置させるように載置される。
【００４７】
図６に示すように、制御部４０は、ステップＳ１０１において給送モーター２８と搬送モーター２９とを駆動し、給送部１８に読取対象物Ｒを給送させる。そして、ステップＳ１０２において、制御部４０は、給送検出部３２が読取対象物Ｒの先端（搬送方向Ｙにおける下流端）を検出したか否かを判断する。
【００４８】
給送検出部３２が読取対象物Ｒを検出していない場合には（ステップＳ１０２：ＮＯ）、制御部４０は、給送検出部３２が読取対象物Ｒを検出するまで待機する。そして、給送検出部３２が読取対象物Ｒを検出すると、制御部４０は、給送検出部３２が読取対象物Ｒの先端を検出したと判断し（ステップＳ１０２：ＹＥＳ）、ステップＳ１０３において、搬送検出部３３が読取対象物Ｒの先端を検出したか否かを判断する。搬送検出部３３が読取対象物Ｒを検出していない場合には（ステップＳ１０３：ＮＯ）、制御部４０は、読取対象物Ｒが搬送検出部３３まで搬送されていないと判断し、その処理をステップＳ１０４に移行する。
【００４９】
ステップＳ１０４において、制御部４０は、給送検出部３２が読取対象物Ｒの穴を検出したか否かを判断する。すなわち、原稿Ｄには、原稿Ｄ同士を綴じるために、パンチ穴とも呼ばれるとじ穴が形成されていることがある。そして、穴が検出位置Ｐ３を通過すると、キャリアシートＣの第１透光部４７及び第２透光部４８が検出位置Ｐ３を通過する場合と同様に、給送検出部３２の出力は一時的にオンに切り替わる。
【００５０】
すなわち、給送検出部３２からオフが継続して出力されている場合には、制御部４０は、給送検出部３２が読取対象物Ｒの穴を検出していないと判断し（ステップＳ１０４：ＮＯ）、その処理をステップＳ１０３に移行する。また、給送検出部３２から一時的にオンが出力されると、制御部４０は、給送検出部３２が読取対象物Ｒの穴を検出したと判断し（ステップＳ１０４：ＹＥＳ）、その処理をステップＳ１０５に移行する。
【００５１】
ステップＳ１０５において、制御部４０は、検出した穴が２つ目の穴であるか否かを判断し、２つ目の穴でない場合には（ステップＳ１０５：ＮＯ）その処理をステップＳ１０３に移行する。そして、穴が２つ目である場合には、（ステップＳ１０５：ＹＥＳ）、その処理をステップＳ１０６に移行する。
【００５２】
ステップＳ１０６において、制御部４０は、検出した２つの穴の上流端同士の寸法である検出上流端寸法Ｌ１と、予め設定されている設定上流端寸法とを比較する。さらに、ステップＳ１０７において制御部４０は、検出した２つの穴の下流端同士の寸法である検出下流端寸法Ｌ２と、予め設定されている設定下流端寸法とを比較する。
【００５３】
そして、検出上流端寸法Ｌ１と設定上流端寸法、検出下流端寸法Ｌ２と設定上流端寸法の少なくとも一方が異なる場合には（ステップＳ１０６：ＮＯ、ステップＳ１０７：ＮＯ）、制御部４０は、その処理をステップＳ１０３に移行する。そして、検出上流端寸法Ｌ１と設定上流端寸法、検出下流端寸法Ｌ２と設定下流端寸法が共に等しい場合には（ステップＳ１０６：ＹＥＳ、ステップＳ１０７：ＹＥＳ）、制御部４０は、読取対象物ＲがキャリアシートＣであると判断し、その処理をステップＳ１０８に移行する。
【００５４】
ステップＳ１０８において、制御部４０は、搬送検出部３３がキャリアシートＣの先端を検出したか否かを判断する。搬送検出部３３がキャリアシートＣを検出してない場合には（ステップＳ１０８：ＮＯ）、制御部４０は、搬送検出部３３がキャリアシートＣを検出するまで待機する。そして、搬送検出部３３がキャリアシートＣを検出すると、制御部４０は、搬送検出部３３がキャリアシートＣの先端Ｃａを検出したと判断し（ステップＳ１０８：ＹＥＳ）、その処理をステップＳ１０９に移行する。
【００５５】
ステップＳ１０９において、制御部４０は、給送モーター２８の駆動を停止する。なお、このとき搬送モーター２９は駆動されているため、キャリアシートＣは、搬送部２１により搬送される。すなわち、制御部４０は、読取対象物ＲがキャリアシートＣである場合には、接合部４３を搬送方向Ｙの下流側に位置させた状態でキャリアシートＣを搬送する（搬送ステップ）。さらに、ステップＳ１１０において、制御部４０は、キャリアシートＣを接合部４３の分だけ搬送したか否かを判断する。
【００５６】
すなわち、制御部４０は、回転検出部３４の検出結果に基づいて、搬送検出部３３がキャリアシートＣの先端Ｃａを検出してから搬送ローラー２２が所定の第１回転数だけ回転していない場合には、接合部４３の分だけ搬送されていないと判断して待機する（ステップＳ１１０：ＮＯ）。なお、所定の第１回転数とは、搬送検出部３３がキャリアシートＣの先端Ｃａを検出してから、接合部４３の上流端（図５参照）Ｃｂを読取部２４（第１読取位置Ｐ１と第２読取位置Ｐ２）まで搬送するのに必要な回転数である。
【００５７】
そして、搬送検出部３３がキャリアシートＣの先端Ｃａを検出してから搬送ローラー２２が所定の第１回転数だけ回転すると、制御部４０は、読取対象物Ｒが接合部４３の分だけ搬送されたと判断する（ステップＳ１１０：ＹＥＳ）。そして、ステップＳ１１１において、制御部４０は、読取部２４に読取を開始させる（読取開始ステップ）。すなわち、制御部４０は、接合部４３の上流端Ｃｂが読取部２４を通過してから読取部２４に読取を開始させる。
【００５８】
ステップＳ１１２において、制御部４０は、搬送検出部３３が読取対象物Ｒの後端（搬送方向Ｙにおける上流端）を検出したか否かを判断する。すなわち、搬送検出部３３が読取対象物Ｒを検出している場合には（ステップＳ１１２：ＮＯ）、制御部４０は、搬送検出部３３が読取対象物Ｒを検出しなくなるまで待機する。そして、搬送検出部３３が読取対象物Ｒを検出しなくなると、制御部４０は、搬送検出部３３が読取対象物Ｒの後端を検出したと判断する（ステップＳ１１２：ＹＥＳ）。
【００５９】
ステップＳ１１３において、制御部４０は、読取対象物Ｒの後端が読取部２４を通過したか否かを判断する。すなわち、制御部４０は、搬送検出部３３が読取対象物Ｒの後端を検出してからの搬送ローラー２２の回転数が所定の第２回転数よりも少ない場合には、後端が読取部２４を通過していないと判断して待機する（ステップＳ１１３：ＮＯ）。なお、所定の第２回転数とは、搬送検出部３３が読取対象物Ｒの後端を検出してから、読取対象物Ｒの後端を読取部２４まで搬送するのに必要な回転数である。
【００６０】
そして、搬送検出部３３が読取対象物Ｒの後端を検出してからの搬送ローラー２２の回転数が所定の第２回転数以上の場合には、制御部４０は、読取対象物Ｒの後端が読取部２４を通過したと判断する（ステップＳ１１３：ＹＥＳ）。
【００６１】
そして、制御部４０は、ステップＳ１１４において、読取部２４による画像の読取を終了させる。さらに、ステップＳ１１５において、制御部４０は、載置検出部３１の検出結果に基づいて、載置部１６に次の読取対象物Ｒが載置されているか否かを判断する。そして、読取対象物Ｒが載置部１６に載置されている場合には（ステップＳ１１５：ＮＯ）、その処理をステップＳ１０１に移行する。また、載置部１６に読取対象物Ｒが載置されていない場合には（ステップＳ１１５：ＹＥＳ）、制御部４０は、ステップＳ１１６において、搬送モーター２９を停止し、画像読取処理ルーチンを終了する。
【００６２】
また、ステップＳ１０３において、搬送検出部３３が読取対象物Ｒを検出しない状態から検出した状態に変わると、制御部４０は、搬送検出部３３が読取対象物Ｒである原稿Ｄの先端を検出したと判断し（ステップＳ１０３：ＹＥＳ）、その処理をステップＳ１１７に移行する。そして、ステップＳ１１７において、制御部４０は、給送モーター２８を停止し、その処理をステップＳ１１１に移行する。
【００６３】
次に、図７に示すフローチャートを参照し、画像合成処理ルーチンに基づいて説明する。なお、この画像合成処理ルーチンは、読取部２４が読み取りを終了したタイミングで実行される。
【００６４】
図７に示すように、制御部４０は、ステップＳ２０１において、合成処理の実行が選択されているか否かを判断する。そして、合成処理が選択されている場合には（ステップＳ２０１：ＹＥＳ）、ステップＳ２０２において、制御部４０は、読取対象物ＲがキャリアシートＣであるか否かを判断する。
【００６５】
読取対象物ＲがキャリアシートＣである場合には（ステップＳ２０２：ＹＥＳ）、制御部４０は、ステップＳ２０３において合成処理を実行して見開き画像を生成し、ステップＳ２０４において見開き画像を出力して画像合成処理ルーチンを終了する。
【００６６】
また、ステップＳ２０１において、合成処理が選択されていない場合（ステップＳ２０１：ＮＯ）、及びステップＳ２０２において、読取対象物Ｒが原稿Ｄである場合には（ステップＳ２０２：ＮＯ）、制御部４０は、その処理をステップＳ２０５に移行する。
【００６７】
そして、制御部４０は、ステップＳ２０５において、第１読取部２４ａが読み取った第１画像を出力し、ステップＳ２０６において、第２読取部２４ｂが読み取った第２画像を出力し、画像合成処理ルーチンを終了する。
【００６８】
次に画像読取装置１１の作用について説明する。
図１に示すように、載置部１６に読取対象物Ｒが載置された状態で読取対象物Ｒの画像を読み取るジョブが入力されると、制御部４０は、給送モーター２８と搬送モーター２９を駆動し、読取対象物Ｒを給送及び搬送する。
【００６９】
さて、読取対象物Ｒが原稿Ｄである場合には、制御部４０は、搬送検出部３３及び回転検出部３４の検出結果に基づいて、原稿Ｄの先端（搬送方向Ｙの下流端）が第１読取位置Ｐ１を通過する前に第１読取部２４ａに読取を開始させる。さらに、制御部４０は、原稿Ｄの先端が第２読取位置Ｐ２を通過する前に第２読取部２４ｂに読取を開始させる。なお、このとき制御部４０は、読取対象物Ｒが原稿Ｄであるため、原稿Ｄ用のガンマ値に基づいて読取部２４に画像を読み取らせる。
【００７０】
さらに、制御部４０は、原稿Ｄの後端（搬送方向Ｙの上流端）が第１読取位置Ｐ１を通過してから第１読取部２４ａに読取を終了させ、原稿Ｄの後端が第２読取位置Ｐ２を通過してから第２読取部２４ｂに読取を終了させる。
【００７１】
また、制御部４０は、読取対象物Ｒが原稿Ｄである場合には、選択部５２の選択に関わらず合成処理を実行しない。したがって、制御部４０は、選択部５２により合成処理の実行が選択されていても、第１読取部２４ａが読み取った第１画像と、第２読取部２４ｂが読み取った第２画像を、例えばホスト装置などに出力する。
【００７２】
一方、読取対象物ＲがキャリアシートＣである場合には、制御部４０は、読取部２４が読み取りを開始するタイミングを、読取対象物Ｒが原稿Ｄである場合よりも遅らせ、接合部４３の上流端Ｃｂが読取部２４を通過してから読取部２４に読み取りを開始させる。具体的には、制御部４０は、搬送検出部３３及び回転検出部３４の検出結果に基づいて、接合部４３の上流端Ｃｂが第１読取位置Ｐ１を通過してから第１読取部２４ａに読取を開始させる。さらに、制御部４０は、接合部４３の上流端Ｃｂが第２読取位置Ｐ２を通過してから第２読取部２４ｂに読取を開始させる。なお、このとき制御部４０は、読取対象物ＲがキャリアシートＣであるため、キャリアシートＣ用のガンマ値に基づいて読取部２４に画像を読み取らせる。
【００７３】
さらに、制御部４０は、キャリアシートＣの後端（搬送方向Ｙの上流端）が第１読取位置Ｐ１を通過してから第１読取部２４ａに読取を終了させ、キャリアシートＣの後端が第２読取位置Ｐ２を通過してから第２読取部２４ｂに読取を終了させる。そして、制御部４０は、読取対象物ＲがキャリアシートＣである場合には、選択部５２の選択に応じて合成処理を実行する。すなわち、選択部５２により合成処理の実行が選択されていた場合は、合成処理部５１は、第１画像と第２画像とを合成して見開き画像を生成し、制御部４０は、例えばホスト装置などに見開き画像を出力する。そして、選択部５２により合成処理の実行が選択されていない場合には、制御部４０は、第１画像と第２画像を例えばホスト装置などに出力する。
【００７４】
上記実施形態によれば、以下のような効果を得ることができる。
（１）読取対象物Ｒである原稿Ｄの画像をキャリアシートＣを用いずに読み取る場合には、読取部２４は、搬送される原稿Ｄの下流端が読取部２４を通過する前に読み取りを開始する。そして、読取対象物ＲがキャリアシートＣの場合には、制御部４０は、読取部２４に読取を開始させるタイミングをキャリアシートＣの先端Ｃａから接合部４３の分だけ遅らせ、接合部４３の上流端Ｃｂが読取部２４を通過してから読み取りを開始させる。したがって、読取部２４は、接合部４３の画像を読み取らないため、画像データのサイズを小さくできる。
【００７５】
（２）制御部４０は、読取対象物Ｒが原稿ＤであるかキャリアシートＣであるかに応じて、読み取り時のガンマ値を変更する。そのため、読取対象物Ｒに適したガンマ値で画像を読み取らせることができる。
【００７６】
（３）読取可能なサイズよりも大きな原稿Ｄは、折り畳まれた状態でキャリアシートＣに挟まれて搬送され、シート部４３越しに画像が読み取られる。そして、読取対象物ＲがキャリアシートＣの場合には合成処理を実行し、読取対象物Ｒが原稿Ｄの場合には合成処理を実行しない。したがって、読取対象である原稿Ｄに近い画像を取得できる。
【００７７】
（４）制御部４０は、透光部（第１透光部４７と第２透光部４８）の個数と寸法に基づいてキャリアシートＣを検出するため、透光部の個数と寸法の何れか一方に基づいてキャリアシートＣを検出する場合に比べてキャリアシートＣの検出精度を向上できる。
【００７８】
（５）搬送方向Ｙにおける透光部の上流端（第１上流端４７ａと第２上流端４８ａ）と下流端（第１下流端４７ｂと第２下流端４８ｂ）が検出位置Ｐ３を通過するタイミングでは、受光部３７が受光する受光量がなだらかに変化する。そのため、透光部の上流端と下流端は、位置の特定が難しく、例えば第１上流端４７ａから第１下流端４７ｂまでの寸法を計測する場合には、誤差が大きくなってしまう。その点、複数の透光部の上流端同士の検出上流端寸法Ｌ１及び下流端同士の検出下流端寸法Ｌ２に基づいてキャリアシートＣを検出する。すなわち、上流端同士又は下流端同士では、受光量が同じように変化するため、例えば同程度の受光量を検出した位置同士の寸法を計測することにより誤差の小さな寸法を取得できる。したがって、キャリアシートＣの検出精度を向上できる。
【００７９】
なお、上記実施形態は以下のように変更してもよい。
・上記実施形態において、摩擦力付与部２０は、給送ローラー１９と共に読取対象物Ｒを挟持して読取対象物Ｒ同士を分離する分離パッドとしてもよい。
【００８０】
・上記実施形態において、制御部４０は、読取対象物ＲがキャリアシートＣである場合に、接合部４３の上流端Ｃｂが読取部２４を通過してからキャリアシートＣに挟まれた原稿Ｄの先端が読取部２４に位置するまでの間に読取部２４に読み取りを開始させてもよい。
【００８１】
・上記実施形態において、載置検出部３１、給送検出部３２、搬送検出部３３、回転検出部３４は、接触式、非接触式など任意の検出部としてもよい。また、第１透光部４７及び第２透光部４８は、給送検出部３２により検出可能なものであれば任意に変更できる。例えば給送検出部３２をレバーを有する接触式のセンサーにし、キャリアシートＣに設けられた被検出部である孔や溝、突起などを検出してもよい。また、例えば給送検出部３２をイメージセンサーとし、キャリアシートＣに設けられた被検出部であるマークを画像処理により検出してもよい。
【００８２】
・上記実施形態において、制御部４０は、透光部の個数と寸法の何れか一方に基づいてキャリアシートＣを検出してもよい。すなわち、例えば給送検出部３２が読取対象物Ｒの先端を検出してから搬送検出部３３が読取対象物Ｒの先端を検出するまでの間に、給送検出部３２がオンを２回出力した場合には、読取対象物ＲがキャリアシートＣであると判断してもよい。
【００８３】
・上記実施形態において、制御部４０は、複数の透光部の搬送方向Ｙにおける上流端同士（第１上流端４７ａ及び第２上流端４８ａ）の寸法及び下流端同士（第１下流端４７ｂ及び第２下流端４８ｂ）の寸法の少なくとも一方の寸法に基づいてキャリアシートＣを検出してもよい。すなわち、制御部４０は、設定上流端寸法と検出上流端寸法Ｌ１、設定下流端寸法と検出下流端寸法Ｌ２の何れか一方の寸法一致する場合には、読取対象物ＲがキャリアシートＣであると判断してもよい。
【００８４】
・上記実施形態において、第１透光部４７と第２透光部４８は、孔であってもよい。また、透光部は３つ以上としてもよい。
・上記実施形態において、読取部２４は、第１読取部２４ａと第２読取部２４ｂの何れか一方のみを有していてもよい。
【００８５】
・上記実施形態において、画像読取装置１１は、給送検出部３２を備えない構成としてもよい。例えば、制御部４０は、ジョブやユーザーの設定に基づいて読取対象物ＲがキャリアシートＣであるか原稿Ｄであるかを判別してもよい。
【００８６】
・上記実施形態において、制御部４０は、合成処理部５１を備えなくてもよい。例えばホスト装置で合成処理を行ってもよい。また、選択部５２は、ユーザーが操作可能なボタンやタッチパネルとし、ユーザーの操作によって合成処理を実行するか否かを選択してもよい。
【００８７】
・上記実施形態において、読取部２４は、読取対象物Ｒの種類に関わらず同じガンマ値で読取対象物Ｒの読取を行ってもよい。
・上記実施形態において、画像読取装置１１は、シートフィード型に限らず、読取対象物Ｒを自動で給送する自動原稿給送装置（オートシートフィーダー）を備えたフラットベッド型の画像読取装置としてもよい。また、画像読取装置１１は、印刷装置と一体に構成された複合機や、通信機能を備えるＦＡＸなどに適用してもよい。
【符号の説明】
【００８８】
Ｃ…キャリアシート、Ｃａ…先端、Ｃｂ…上流端、Ｄ…原稿、Ｌ１…検出上流端寸法、Ｌ２…検出下流端寸法、Ｐ１…第１読取位置、Ｐ２…第２読取位置、Ｐ３…検出位置、Ｒ…読取対象物、Ｔ…閾値、Ｘ…幅方向、Ｙ…搬送方向、１１…画像読取装置、１２…本体部、１３…軸、１４…回動部、１６…載置部、１７…搬送路、１８…給送部、１９…給送ローラー、２０…摩擦力付与部、２１…搬送部、２２…搬送ローラー、２３…搬送従動ローラー、２４…読取部、２４ａ…第１読取部、２４ｂ…第２読取部、２５…排出ローラー、２６…排出従動ローラー、２７…排出部、２８…給送モーター、２９…搬送モーター、３１…載置検出部、３２…給送検出部、３３…搬送検出部、３４…回転検出部、３６…発光部、３７…受光部、３８…エンコーダースケール、４０…制御部、４２…シート部、４３…接合部、４４…シート、４５…接合材、４７…第１透光部（被検出部の一例）、４７ａ…第１上流端、４７ｂ…第１下流端、４８…第２透光部（被検出部の一例）、４８ａ…第２上流端、４８ｂ…第２下流端、５０…記憶部、５１…合成処理部、５２…選択部。
【図１】
2018006853.tif 000003
【図２】
2018006853.tif 000004
【図３】
2018006853.tif 000005
【図４】
2018006853.tif 000006
【図５】
2018006853.tif 000007
【図６】
2018006853.tif 000008
【図７】
2018006853.tif 000009